【事件の表示】
　特願２０１６−２１９８７９「情報管理装置、情報管理方法、及び情報管理プログラム」拒絶査定不服審判事件〔平成３０年　５月１７日出願公開、特開２０１８−　７７７２４〕について、次のとおり審決する。
【結　論】
　本件審判の請求は、成り立たない。
【理　由】
第１　手続の経緯
　本願は，平成２８年１１月１０日の出願であって，その手続の経緯は以下のとおりである。
　平成３０年　３月３０日付け：拒絶理由通知
　平成３０年　５月１６日　　：意見書，手続補正書の提出
　平成３０年　６月１９日付け：拒絶査定
　平成３０年　８月２３日　　：審判請求書，手続補正書の提出
　令和　１年　７月２３日付け：拒絶理由通知（当審）
　令和　１年　９月１８日　　：意見書，手続補正書の提出
第２　本願発明
　本願の請求項に係る発明は，令和１年９月１８日付けの手続補正により補正された特許請求の範囲の請求項１〜７に記載された事項により特定されるものと認められるところ，その請求項１に係る発明（以下，「本願発明」という。）は次のとおりである。
　なお，本願発明の各構成の符号（Ａ）〜（Ｅ）は，説明のために当審において付したものであり，以下，構成Ａ〜構成Ｅと称する。
（本願発明）
「　【請求項１】
（Ａ）製品と該製品を構成する部品のうち直下の階層に属する部品とが対応付けられるとともに，前記製品を構成する部品と該部品を構成する部品のうち直下の階層に属する部品とが対応付けられたテーブルを格納する格納部と，
（Ｂ）外部からの指示を入力する入力部と，
（Ｃ）前記入力部に入力された指示に応じ，前記格納部に格納されたテーブルを検索して前記製品を構成する部品のツリー構造を階層毎に作成する作成部と，
　を備え，
（Ｄ）前記作成部は，前記入力部によって特定された前記製品，或いは前記入力部によって特定された前記製品を構成する任意の部品を起点としたツリー構造を作成する
（Ｅ）情報管理装置。」
第３　当審における拒絶の理由
　令和１年７月２３日付けの当審が通知した拒絶理由のうちの理由１は，概略次のとおりのものである。
　本願の請求項１に係る発明は，本願の出願前に日本国内又は外国において，頒布された又は電気通信回線を通じて公衆に利用可能となった以下の引用文献１に記載された発明及び引用文献２，３に記載された事項に基づいて，その出願前にその発明の属する技術の分野における通常の知識を有する者が容易に発明をすることができたものであるから，特許法第２９条第２項の規定により特許を受けることができない，というものである。
引用文献１：特開２００６−１２７４８２号公報
引用文献２：特開２０１３−１６１４３２号公報
引用文献３：特開２００７−　１１５１３号公報
第４　引用文献の記載及び引用発明
１．引用文献１の記載事項
　当審の拒絶の理由で引用された，本願出願前に，頒布された又は電気通信回線を通じて公衆に利用可能となった特開２００６−１２７４８２号公報（平成１８年５月１８日出願公開。以下，「引用文献１」という。）には，図面と共に次の事項が記載されている。
　なお，下線は強調のために当審で付したものである。
「【００１７】
　第１実施形態
　図１は，本発明の第１実施形態が適用された環境負荷評価支援装置の概略図である。図示するように，本実施形態の
環境負荷評価支援装置１は，演算部１０と，記憶部２０と，入出力部３０と，を有する
【００１８】
　
入出力部３０は，記憶部２０に記憶するデータの入出力，ユーザよりの指示受付，および，ユーザへの情報表示を行う
【００１９】
　
記憶部２０は，
部品情報記憶部２０３
を有する
「【００２８】
　
部品情報記憶部２０３には，
製品および製品を構成する各部品（材料を含む）の情報が記憶される
部品情報記憶部２０３は，
部品番号管理テーブル２０３１
部品構成管理テーブル２０３２
を有する
【００２９】
　
部品番号管理テーブル２０３１の各レコードは
部品・材料番号を登録するフィールド２０３１２
名称を登録するフィールド２０３１３
部品（製品を含む）か材料かの種別を登録するフィールド２０３１４
を有する
【００３０】
　
部品構成管理テーブル２０３２の各レコードは，
親部品の部品・材料番号を登録するフィールド２０３２３と，子部品又は材料の部品・材料番号を登録するフィールド２０３２４と
を有する
「【００４４】
　図１に戻って説明を続ける。
演算部１０は，部品構成ツリー表示処理部１０１
を有する
「【００５２】
　図１に戻って説明を続ける。
部品構成ツリー表示処理部１０１は，ユーザの指示に従い所望の部品（製品を含む）の構成ツリー表示画面を作成し，入出力部３０に表示する
【００５３】
　図１０は，構成ツリー表示処理部１０１による部品構成ツリーの表示処理を説明するためのフロー図である。このフローは，会社番号を含むログイン情報を入出力部３０に入力し，演算部１０にログイン許可されたユーザが，入出力部３０に
部品構成ツリー表示要求を入力することにより開始
【００５４】
　まず，構成ツリー表示処理部１０１は，部品番号管理テーブル２０３１から例えばログインの際にユーザから受け取った会社番号が登録されている部品情報のレコードを読み出す。そして，例えば各部品情報のレコードがリスト表示された部品選択画面を作成し，入出力部３０に表示する（Ｓ２０１）。ユーザは，入出力部３０を用いて，部品選択画面上にリスト表示された部品情報のレコードの中から所望の部品情報を選択できる。
【００５５】
　さて，
構成ツリー表示処理部１０１は，入出力部３０を介して
部品情報の選択を受け付けたならば
，部品構成管理テーブル２０３２を用いて選択された部品を頂点とする部品構成ツリーを特定する
具体的には，選択部品を親部品とするレコードを部品構成管理テーブル２０３２から検索する。検索できたならば，選択部品と，検索したレコードに子部品・材料として登録されている部品・材料
とを，親子関係を示す親子線で連結する。それから，前記検索したレコードに子部品・材料として登録されている部品・材料（注目部品と呼ぶ）を親部品とするレコードを部品構成管理テーブル２０３２から検索する。検索できたならば，注目部品と，検索したレコードに子部品・材料として登録されている部品・材料とを親子線でさらに連結する。この処理を，注目部品を親部品とするレコードが部品構成管理テーブル２０３２から検索できなくなるまで繰り返す
【００５６】
　次に，構成ツリー表示処理部１０１は，工程紐付管理テーブル２０４２を用いて，選択部品を構成する各部品・材料に紐付けられている工程を特定する（Ｓ２０４）。具体的には，Ｓ２０３で特定した部品構成ツリーに属する全ての部品・材料の各々について，当該部品・材料が紐付部品として登録されているレコードを，工程紐付管理テーブル２０４２から検索する。検索できたならば，当該部品・材料と，該レコードに登録されている工程（工程番号をキーとして工程番号管理テーブル２０４１を検索することによりその詳細情報を特定できる）とを，生産関係を示す生産線で連結する。
【００５７】
　以上のようにして，
部品構成ツリー
を特定したならば，構成ツリー表示処理部１０１は，
部品構成ツリー図を作成する
【００５８】
　次に，構成ツリー表示処理部１０１は，工程が紐付けられた部品構成ツリー図を含む各種設定受付画面（部品情報登録指示，工程情報登録指示，環境負荷設定指示の受付画面）を作成し，入出力部３０に表示する（Ｓ２０６）。
【００５９】
　図１１は最終製品メーカＡが
全自動洗濯機（ＡＡ-８Ｓ-Ｃ００１）を選択した場合
全自動洗濯機を頂点とする
部品構成ツリー１０１１が表示される
「図４
」
「図１１
」
２．引用発明
　上記引用文献１に記載されている事項について検討する。
　
（１）引用文献１の段落００１７の記載から，引用文献１には，
「演算部１０と，記憶部２０と，入出力部３０と，を有する環境負荷評価支援装置」が記載されていると認められる。
（２）引用文献１の段落００１８の記載から，引用文献１には，
「前記入出力部３０は，ユーザよりの指示受付，および，ユーザへの情報表示を行うものであ」ることが記載されていると認められる。
（３）引用文献１の段落００１９及び段落００２８の記載から，引用文献１には，
「前記記憶部２０は，製品および製品を構成する各部品の情報が記憶される部品情報記憶部２０３を有」することが記載されていると認められる。
（４）引用文献１の段落００２８〜００３０の記載から，引用文献１には，
「前記部品情報記憶部２０３は，部品・材料番号を登録するフィールド２０３１２と，名称を登録するフィールド２０３１３と，部品（製品を含む）か材料かの種別を登録するフィールド２０３１４とを有する各レコードを有する部品番号管理テーブル２０３１と，
　親部品の部品・材料番号を登録するフィールド２０３２３と，子部品又は材料の部品・材料番号を登録するフィールド２０３２４とを有する各レコードを有する部品構成管理テーブル２０３２を備え」ることが記載されていると認められる。
（５）引用文献１の図４（Ａ）の部品番号管理テーブル２０３１及び図４（Ｂ）の部品構成管理テーブル２０３２の記載から，引用文献１には，
「前記部品番号管理テーブル２０３１の各レコードは，フィールド２０３１２，フィールド２０３１３，フィールド２０３１４に，第１レコードとして，「ＡＡ−８Ｓ−Ｃ００１」，「全自動洗濯機」，「部品」，第２レコードとして，「ＡＡ−８Ｓ２−Ｂ０１７」，「上蓋部部組」，「部品」，第３レコードとして，「ＡＡ−８Ｓ２−Ａ０１７」，「フロントパネル部組」，「部品」，第４レコードとして，「ＡＡ−８Ｓ２−０２４」，「ネジキャップ」，「部品」が登録され」，
「前記部品構成管理テーブル２０３２の各レコードは，フィールド２０３２３，フィールド２０３２４に，第１レコードとして，「ＡＡ−８Ｓ−Ｃ００１」，「ＡＡ−８Ｓ２−Ｂ０１７」，第３レコードとして，「ＡＡ−８Ｓ２−Ｂ０１７」，「ＡＡ−８Ｓ２−Ａ０１７」，第４レコードとして，「ＡＡ−８Ｓ２−Ａ０１７」，「ＡＡ−８Ｓ２−０２４」が登録されて」いることが記載されていると認められる。
（６）引用文献１の段落００４４の記載から，引用文献１には，
「前記演算部１０は部品構成ツリー表示処理部１０１を有」することが記載されていると認められる。
（７）引用文献１の段落００５２の記載から，引用文献１には，
「前記部品構成ツリー表示処理部１０１は，ユーザの指示に従い所望の部品（製品を含む）の構成ツリー表示画面を作成して入出力部３０に表示する」ものであることが記載されていると認められる。
（８）引用文献１の段落００５５の記載から，引用文献１には，
「前記部品構成ツリー表示処理部１０１は，入出力部３０を介して部品情報の選択を受け付けると，部品構成管理テーブル２０３２を用いて選択された部品を頂点とする部品構成ツリーを特定」すること，「具体的には，選択部品を親部品とするレコードを部品構成管理テーブル２０３２から検索し，選択部品と，検索したレコードに子部品・材料として登録されている部品・材料とを，親子関係を示す親子線で連結し，前記検索したレコードに子部品・材料として登録されている部品・材料である注目部品を親部品とするレコードを部品構成管理テーブル２０３２から検索し，検索できたならば，注目部品と，検索したレコードに子部品・材料として登録されている部品・材料とを親子線でさらに連結し，この処理を，注目部品を親部品とするレコードが部品構成管理テーブル２０３２から検索できなくなるまで繰り返す」ことが記載されていると認められる。
（９）引用文献１の段落００５７の記載から，引用文献１には，
「前記部品構成ツリー表示処理部１０１は，部品構成ツリーを特定したならば，部品構成ツリー図を作成する」ことが記載されていると認められる。
（１０）引用文献１の段落００５９及び図１１の記載から，引用文献１には，
「全自動洗濯機（ＡＡ−８Ｓ−Ｃ００１）を選択した場合に全自動洗濯機を頂点とする部品構成ツリー１０１１が表示され，具体的には，全自動洗濯機を頂点とし，全自動洗濯機と上蓋部部組とを親子関係を示す親子線で連結し，上蓋部部組とフロントパネル部組とを親子線で連結し，フロントパネル部組とネジキャップとを親子線で連結した部品構成ツリー図を作成すること」が記載されている。
（１１）まとめ
　上記（１）〜（１０）から，引用文献１には，次の発明（以下，「引用発明」という。）が記載されていると認められる。
　なお，引用発明の各構成を，それぞれに付した符号（ａ）〜（ｋ）により，以下，構成ａ〜構成ｋと称する。
　
（引用発明）
（ａ）演算部１０と，記憶部２０と，入出力部３０と，を有する環境負荷評価支援装置であって，
（ｂ）前記入出力部３０は，ユーザよりの指示受付，および，ユーザへの情報表示を行うものであり，
（ｃ）前記記憶部２０は，製品および製品を構成する各部品の情報が記憶される部品情報記憶部２０３を有し，
（ｄ）前記部品情報記憶部２０３は，部品・材料番号を登録するフィールド２０３１２と，名称を登録するフィールド２０３１３と，部品（製品を含む）か材料かの種別を登録するフィールド２０３１４とを有する各レコードを有する部品番号管理テーブル２０３１と，
　親部品の部品・材料番号を登録するフィールド２０３２３と，子部品又は材料の部品・材料番号を登録するフィールド２０３２４とを有する各レコードを有する部品構成管理テーブル２０３２を備え，
（ｅ）（ｅ１）前記部品番号管理テーブル２０３１の各レコードは，フィールド２０３１２，フィールド２０３１３，フィールド２０３１４に，第１レコードとして，「ＡＡ−８Ｓ−Ｃ００１」，「全自動洗濯機」，「部品」，第２レコードとして，「ＡＡ−８Ｓ２−Ｂ０１７」，「上蓋部部組」，「部品」，第３レコードとして，「ＡＡ−８Ｓ２−Ａ０１７」，「フロントパネル部組」，「部品」，第４レコードとして，「ＡＡ−８Ｓ２−０２４」，「ネジキャップ」，「部品」が登録され，
（ｅ２）前記部品構成管理テーブル２０３２の各レコードは，フィールド２０３２３，フィールド２０３２４に，第１レコードとして，「ＡＡ−８Ｓ−Ｃ００１」，「ＡＡ−８Ｓ２−Ｂ０１７」，第３レコードとして，「ＡＡ−８Ｓ２−Ｂ０１７」，「ＡＡ−８Ｓ２−Ａ０１７］，第４レコードとして，「ＡＡ−８Ｓ２−Ａ０１７］，「ＡＡ−８Ｓ２−０２４］が登録されており，
（ｆ）前記演算部１０は部品構成ツリー表示処理部１０１を有し，
（ｇ）前記部品構成ツリー表示処理部１０１は，ユーザの指示に従い所望の部品（製品を含む）の構成ツリー表示画面を作成して入出力部３０に表示するものであり，
（ｈ）前記部品構成ツリー表示処理部１０１は，入出力部３０を介して部品情報の選択を受け付けると，部品構成管理テーブル２０３２を用いて選択された部品を頂点とする部品構成ツリーを特定し，
（ｉ）具体的には，選択部品を親部品とするレコードを部品構成管理テーブル２０３２から検索し，選択部品と，検索したレコードに子部品・材料として登録されている部品・材料とを，親子関係を示す親子線で連結し，前記検索したレコードに子部品・材料として登録されている部品・材料である注目部品を親部品とするレコードを部品構成管理テーブル２０３２から検索し，検索できたならば，注目部品と，検索したレコードに子部品・材料として登録されている部品・材料とを親子線でさらに連結し，この処理を，注目部品を親部品とするレコードが部品構成管理テーブル２０３２から検索できなくなるまで繰り返し，
（ｊ）前記部品構成ツリー表示処理部１０１は，部品構成ツリーを特定したならば，部品構成ツリー図を作成し，
（ｋ）全自動洗濯機（ＡＡ−８Ｓ−Ｃ００１）を選択した場合に全自動洗濯機を頂点とする部品構成ツリー１０１１が表示され，
　具体的には，全自動洗濯機を頂点とし，全自動洗濯機と上蓋部部組とを親子関係を示す親子線で連結し，上蓋部部組とフロントパネル部組とを親子線で連結し，フロントパネル部組とネジキャップとを親子線で連結した部品構成ツリー図を作成する，
（ａ）環境負荷評価支援装置。
２．引用文献２及び引用文献３の記載及び周知技術
（１）引用文献２の記載事項
　当審の拒絶の理由で引用された，本願出願前に，頒布された又は電気通信回線を通じて公衆に利用可能となった特開２０１３−１６１４３２号公報（平成２５年８月１９日出願公開。以下，「引用文献２」という。）には，図面と共に次の事項が記載されている。
　なお，下線は強調のために当審で付したものである。
「【０００１】
　本発明は，
プラントに関連する要素をツリービュー表示により階層化して表現するプラント情報の表示方法
【０００２】
　プラント制御において，正しく制御，解析を行うため計測対象とすべき計測点（以下，「アイテム」という。）は大量に存在する。この大量に存在するアイテムに対し，ユーザが個別にアクセスする可能とすることを目的として，システム内でユニークなアイテムアクセス用の識別子であるアイテムＩＤが各アイテムに割り振られる。ユーザはプラント内のデータにアクセスする際，アイテムＩＤを指定してデータのアクセス（読み書き）を実行する。ただし，ユーザがすべてのアイテムＩＤを記憶することは現実的に困難であるため，ユーザはアイテムＩＤを指定する前に，対象となるアイテムのアイテムＩＤを探索する作業が必要になる。
【０００３】
　アイテムＩＤをユーザが記憶していないアイテムが大量に存在する場合に，
アイテムＩＤを探索する目的で一般的に用いられている仕組みが，コンピュータのユーザインタフェースで表現されるツリービューである。ツリービューによれば大量に存在するアイテムＩＤをグループ分けして表示することが可能となる。ユーザはツリービューで提示されたグループのリストから目的としてアイテムが所属するグループを選択することで，そのグループに所属するアイテムのリストを一覧表示させることができる。
【０００４】
　また，ツリービューではアイテムのグループ分けを１段階で終了とせず，複数段階でのグループ分けも可能である。この場合，
ユーザはツリービューで提示されたグループ分けの中から自分が目的とするアイテムが所属するグループの選択を繰り返すことで，目的とするアイテムＩＤを探索することができる
【０００５】
　図７は，ISA S95のプラント階層構造に習ったツリービューを示している。ここでは図示の簡略化のため，「Enterprise」，「Site」，「Area」を省略し，「Process Cell」をトップレベルノードとしている。
【０００６】
　図７において，上から順次，「Process Cell 01」は，このツリー構造での最上位層となるノードであり，「Unit 01」は，「Process Cell 01」の下のアイテムをさらにグループ分けするノードであり，「Tank 01」は，「Unit 01」に紐付く１つ目のタンクを示すノードであり，「温度」は，「Tank 01」の状態（温度）を表す，アイテムＩＤに紐付くノードであり，「レベル」は，「Tank 01」の状態（レベル）を表す，アイテムＩＤに紐付くノードであり，「Pump 01」は，「Tank 01」に紐付くポンプを表すノードであり，「流速」は，「Pump 01」の状態（流速）を表す，アイテムＩＤに紐付くノードであり，「設定値」は，「Pump 01」の状態（設定値）を表す，アイテムＩＤに紐付くノードであり，「Valve 01」は，「Tank 01」に紐付くバルブを表すノードであり，「開度」は，「Valve 01」の状態（開度）を表す，アイテムＩＤに紐付くノードであり，「設定値」は，「Valve 01」の状態（設定値）を表す，アイテムＩＤに紐付くノードであり，「Tank 02」は，「Unit 01」に紐付く２つ目のタンクを示すノードであり，「Unit 02」は，「Process Cell 01」の下のアイテムをさらにグループ分けするノードである。
【０００７】
　なお，「Tank 02」の下の階層および「Unit 02」の下の階層の図示は省略する。
【０００８】
　次に，ユーザが「Valve 01」の開度を計測する場合の操作について説明する。前提とするユーザの条件は以下の通りである。（１）ユーザは「Valve 01」の開度にアクセスするためのアイテムＩＤを記憶していない。（２）ユーザは「Tank 01」がプラント内のどのUnitに紐付けられているかを理解しており，「Tank 01」が紐付けられたUnitをUnit一覧の中から選択できる。（３）ユーザは「Valve 01」がプラント内のどのタンクに紐付けられているかを理解しており，「Valve 01」が紐付けられたタンクを「Unitに紐付けられたタンク一覧」の中から選択できる。（４）ユーザはValve1が保持するデータの構造を理解しており，「Valve 01」に紐付けられたアイテムＩＤ一覧の中から目的としてアイテムＩＤを表す「開度」のノードを選択できる。
【０００９】
　次に，
ユーザの操作手順
（１）まず，ユーザはプラント階層を表現しているツリービューを表示する。これにより，「Process Cell 01」がTopノードとして表示される。「Process Cell 01」のノードは閉じた状態であり，「Process Cell 01」の子供（「Unit 01」，「Unit 02」）は表示されていない。
（２）ユーザは「Process Cell 01」のノードを選択して展開する。これにより，「Process Cell 01」のノードが開き，子供の「Unit 01」および「Unit 02」が表示される。「Unit 01」のノードは閉じた状態であり，「Unit 01」の子供（「Tank 01」，「Tank 02」）は表示されていない。「Unit 02」のノードは閉じた状態であり，「Unit 02」の子供（不図示）は表示されていない。
（３）ユーザは，目的とするポンプが紐付けられているはずの「Unit 01」のノードを選択して展開する。これにより，「Unit 01」のノードが開き，子供の「Tank 01」および「Tank 02」が表示される。「Tank 01」のノードは閉じた状態であり，「Tank 01」の子供（「Pump 01」，「Valve 01」）は表示されていない。「Tank 02」のノードは閉じた状態であり，「Tank 02」の子供（不図示）は表示されていない。
（４）ユーザは，目的とするポンプが紐付けられているはずの「Tank 01」のノードを選択して展開する。これにより，「Tank 01」のノードが開き，子供の「Pump 01」および「Valve 01」が表示される。「Pump 01」のノードは閉じた状態であり，「Pump 01」の子供（「流速」，「設定値」）は表示されていない。「Valve 01」のノードは閉じた状態であり，「Valve 01」の子供（「開度」，「設定値」）は表示されていない。
（５）ユーザは，目的とする機器である「Valve 01」のノードを選択し展開する。これにより，「Valve 01」のノードが開き，子供の「開度」および「設定値」が表示される。
（６）ユーザは，目的とするアイテムである「開度」ノードを発見する。
「図７
」
（２）引用文献２に記載の技術
　上記（１）の記載から，引用文献２には，次の技術が記載されている。
（引用文献２に記載の技術）
　格納手段に格納されたプラントに関連する情報をツリービュー表示により階層化して表現するプラント情報の表示方法であって，
　ツリー構造のTopノードの「Process Cell 01」が閉じた状態で，ユーザは当該Topノードを選択して展開することで，当該Topノードの子供の「Unit 01」および「Unit 02」のノードが表示され，
　ユーザは当該子供ノードの「Unit 01」を選択して展開することで，当該「Unit 01」ノードの子供ノードの「Tank 01」および「Tank 02」が表示され（「Tank 02」ノードは閉じた状態），
　ユーザは当該「Tank 01」ノードを選択して展開することで，当該「Tank 01」ノードの子供ノードの「Pump 01」および「Valve 01」が表示される（「Pump 01」のノードは閉じた状態）表示方法。
（３）引用文献３の記載事項
　当審の拒絶の理由で引用された，本願出願前に，頒布された又は電気通信回線を通じて公衆に利用可能となった特開２００７−１１５１３号公報（平成１９年１月１８日出願公開。以下，「引用文献２」という。）には，図面と共に次の事項が記載されている。
　なお，下線は強調のために当審で付したものである。
「【０００３】
　本発明は，上述のような実情を考慮してなされたものであって，
利用者が必要のある情報だけを詳細に表示し，不要な情報を非表示にできる仕組みを提供する
文書表示方法
「【０００８】
　以下、階層構造におけるある階層のある項目のことを「見出し」と呼ぶ。即ち、「見出し」とは、題名、副題、章、節、項、目など、何らかの意味的まとまりを代表する番号や名称のことであり、階層構造は見出しと文章から構成される。
　本実施形態では、階層構造を題名、章、節、項、目、文章に分類しているが、階層の名称や階層の深さなどはこれらに限らない。例えば、階層の名称を大見出し、中見出し、小見出しなどと呼んでも良い。また、階層の深さに関しては、題名の階層と章の階層の間に副題という階層があっても良いし、文章の階層の下位に段落の階層を定義しても良い。
　さらに、上位階層から下位階層へと続く見出し間のつながりのことを「枝」と呼ぶ。例えば、図５のような階層構造では、「文書表示装置に関する研究」という見出しから「１．１．１　現状」という見出しに至る経路が枝である。他にも「文書表示装置に関する研究」という見出しから「１．１．２　歴史」という見出しに至る経路や、「文書表示装置に関する研究」という見出しから「第２章　実験装置」という見出しや「第２章　実験装置」の下位階層にある見出しに至る経路などが枝の例として挙げられる。
　また、電子文書の章に節や項が存在していないときには、後に記す階層の展開や省略操作を行う際に不必要な操作を省くために、必要のない階層を削除して階層化が行われる。
　例えば、図５において、電子文書の「第１章　概要」から階層を降りていくと、節、項、文章という３階層が存在するが、「第６章　結論」の階層を降りていくと、文章の階層しか存在しない。
　
表示手段６０は、階層化文書記憶手段５０に格納された階層化文書を読み出し、階層構造のままディスプレイ等の表示装置に表示する
（中略）
【０００９】
　次に，図６のフローチャートを用いて，表示手段６０における展開および省略操作における処理手順を説明する。
　
利用者がマウスやキーボードなどの入力装置を用いて見出しを選択したときに（Ｓ３０１のＹｅｓ），その選択された見出しの下位階層が省略されていた場合（Ｓ３０２のＹｅｓ），選択された階層を展開して下位階層を表示し（Ｓ３０３），選択された見出しの階層が階層構造の最下層に位置する階層が表示されるまで（Ｓ３０４のＹｅｓ），ステップＳ３０１からステップＳ３０４まで繰り返す。
　一方，選択された見出しの下位階層が展開されていた場合（Ｓ３０２のＮｏ），階層を省略して下位階層を非表示にし（Ｓ３１１），選択された見出しの階層が階層構造の最上層に位置する階層が表示されるまで（Ｓ３１２のＹｅｓ），ステップＳ３０１からステップＳ３１２まで繰り返す。
　上記の階層の展開や省略は，見出しの先頭に表示されているマークを選択することによっても行える。また，階層の展開や省略の操作は，マークを選択して行う際にはワンアクションで行えるが，見出しを選択して行う際にはツーアクションを要するなど，使い分けができる。
【００１０】
　上述の階層構造の展開または省略の操作例について，図７を用いて説明する。
　
まず，図７（ａ）に示すように階層構造は題名の階層である「文書表示装置に関する研究」という見出しのみを表示していたとする。
　
この題名に対して展開操作を行い，題名に属する下位階層を展開すると，題名の一つ下の階層である章の階層が展開され，図７（ｂ）に示すように，「第１章　概要」から「第６章　結論」までの章の一覧が表示される。
　
次に，「第１章　概要」に属する下位階層を展開すると，章の一つ下の階層である節の階層が展開され，図７（ｃ）に示すように，「１．１　背景」から「１．３　目的」までの節の一覧が表示される。
　
さらに，「１．１　背景」に属する下位階層を展開すると，節の一つ下の階層である項の階層が展開され，図７（ｄ）に示すように，「１．１．１　現状」と「１．１．２　歴史」の項の一覧が表示される。
　
最後に，「１．１．１　現状」に属する下位階層を展開すると，項の一つ下の階層である文章の階層が展開され，図８に示すように，「１．１．１　現状」に書かれている文章が表示される。
　これとは逆に省略の操作を行った場合，図８の「１．１．１　現状」を省略すれば図７（ｄ）に示すように，また，図８の「第１章　概要」を省略すれば図７（ｂ）に示すように，それぞれの階層が省略されて表示されることになる。」
　
「【００１２】
　このように，階層間の従属関係を木構造で表示したり，下位の階層の見出しをインデントして表示することにより，階層間の従属関係が利用者に一目瞭然となるように表示している。階層構造の展開状態あるいは省略状態を明示するマークは前述したものに限らず，利用者が階層構造の展開状態あるいは省略状態を一目で見分けられるものであればよい。
　
階層は，展開する際には選択された見出しの下位階層が一階層ずつ展開され，階層を省略する際には選択された見出しの下位の階層がすべて省略されたが，前述したように一度に展開される階層の深さおよび一度に省略される階層の深さを利用者が自由に設定できるようにしてもよい。
　
例えば，展開をする際には，特定の階層まで一度に展開するとか，すべての階層を一度に展開するなどでもよい。
「図６
」
「図７
」
（４）引用文献３に記載の技術
　上記（３）の記載から，引用文献３には，次の技術が記載されている。
（引用文献３に記載の技術）
　利用者が必要のある情報だけを詳細に表示し，不要な情報を非表示にでき，階層化文書記憶手段に格納された階層化文書を階層構造のまま表示装置に表示する文書表示方法であって，
　利用者がマウスやキーボードなどの入力装置を用いて，
　「第１章　概要」に属する下位階層を展開すると，章の一つ下の階層である節の階層（「１．１　背景」から「１．３　目的」までの節）が展開され，
　当該「１．１　背景」に属する下位階層を展開すると，節の一つ下の階層である項の階層（「１．１．１　現状」と「１．１．２　歴史」の項）が展開され，
　当該「１．１．１　現状」に属する下位階層を展開すると，項の一つ下の階層である文章の階層（「１．１．１　現状」に書かれている文章）が表示され，
　階層は，展開する際には選択された見出しの下位階層が一階層ずつ展開される表示方法。
（５）引用文献２及び引用文献３に記載の周知技術
　上記（２）及び（４）より，引用文献２及び引用文献３には，次の周知技術が記載されている。以下，「文献２及び文献３記載の周知技術」という。
（文献２及び文献３記載の周知技術）
　格納手段に階層構造の形式で格納された情報をツリー構造で表示する表示方法において，
　ユーザが入力装置を用いて，ツリー構造が表示されていない状態の必要な階層のノードを選択して展開すると，当該選択展開操作に基づいて当該ノードの下位にあるノードを１階層ずつ展開して表示する表示方法。
第５　対比
　本願発明と引用発明とを対比する。
　
（１）本願発明の構成Ａについて
　構成ｅ及び構成ｋの「全自動洗濯機」は，部品構成ツリーの頂点に位置することから「製品」といえるから，本願発明の「製品」に相当し，構成ｅ及び構成ｋの「上蓋部部組」は，前記「全自動洗濯機（製品）」を構成する部品であるから，本願発明における「製品を構成する部品のうち直下の階層に属する部品」に相当する。
　また，構成ｅ及び構成ｋの「フロントパネル部組」は，前記「上蓋部部組（部品）」を構成する部品であるから，本願発明における「前記製品を構成する部品（該部品）を構成する部品のうち直下の階層に属する部品」に相当する。
　してみれば，構成ｄ及び構成ｅ２の部品構成管理テーブル２０３２の「親部品の部品・材料番号を登録するフィールド２０３２３と，子部品又は材料の部品・材料番号を登録するフィールド２０３２４」は，全自動洗濯機（製品）と上蓋部部組（子部品）とが対応付けられ，前記上蓋部部組（親部品）とフロントパネル部組（子部品）とが対応付けられ，前記フロントパネル部組（親部品）とネジキャップ（子部品）とが対応付けられて」いるといえるから，構成ｄ及び構成ｅ２の「部品構成管理テーブル」は，構成Ａの「テーブル」に相当し，構成ｃの「部品情報記憶部２０３」は，構成Ａの「格納部」に相当する。
（２）本願発明の構成Ｂについて
　引用発明の構成ｂの「ユーザよりの指示受付」を行う「入出力部３０」は，本願発明の構成Ｂの「外部からの指示を入力する入力部」に相当する。
（３）本願発明の構成Ｃについて
　構成ｇの「ユーザの指示に従い」構成ツリー表示画面を作成表示すること，構成ｈの「入出力部３０を介して部品情報の選択を受け付けると」部品構成ツリーを特定すること，構成ｋの「全自動洗濯機（ＡＡ−８Ｓ−Ｃ００１）を選択した場合に」部品構成ツリー図を作成することは，ユーザが入出力部３０に入力した指示に応じて部品構成ツリー表示処理を行っているといえるから，構成Ｃの「前記入力部に入力された指示に応じ，」に相当する。
　構成ｈの「部品構成管理テーブル２０３２を用いて選択された部品を頂点とする部品構成ツリーを特定」すること，及び構成ｉの「具体的には，選択部品を親部品とするレコードを部品構成管理テーブル２０３２から検索し」は，部品情報記憶部２０３に格納された部品構成管理テーブル２０３２を検索しているといえるから，構成Ｃの「前記格納部に格納されたテーブルを検索して」に相当する。
　構成ｇの「製品の構成ツリー表示画面」に表示する部品構成ツリーであって，構成ｉ及び構成ｋの「全自動洗濯機を頂点とする部品構成ツリー１０１１」は，製品を構成する部品ツリー構造といえるから，構成Ｃの「前記製品を構成する部品のツリー構造」に相当する。
　してみると，引用発明の「部品構成ツリー表示処理部１０１」と本願発明の構成Ｃの「作成部」とは，「入力部に入力された指示に応じ，格納部に格納されたテーブルを検索して製品を構成する部品のツリー構造を作成する作成部」である点で共通する。
　一方，本願発明の構成Ｃでは，ツリー構造を，入力部に入力された指示に応じて「階層毎に」作成するのに対して，引用発明の構成ｆ〜ｋでは，部品構成ツリーを「階層毎に」作成することが特定されていない点で相違している。
（４）本願発明の構成Ｄについて
　構成ｈの「部品構成ツリー表示処理部１０１」は，「入出力部３０を介して部品情報の選択を受け付けると，部品構成管理テーブル２０３２を用いて選択された部品を頂点とする部品構成ツリーを特定」しているから，引用発明の「部品構成ツリー表示処理部１０１」と本願発明の構成Ｄの「作成部」とは，「入力部によって特定された製品，或いは前記入力部によって特定された前記製品を構成する任意の部品を起点としたツリー構造を作成する」点で一致する。
（５）本願発明の構成Ｅについて
　上記（１）〜（４）の検討から，引用発明の構成ａの「環境負荷評価支援装置」は，製品や部品の『情報』を『管理』する『装置』であるといえるから，本願発明の構成Ｅの「情報管理装置」に対応する。
（６）まとめ
　上記（１）〜（５）の対比結果を踏まえると，本願発明と引用発明の一致点及び相違点は次の通りである。
　
［一致点］
（Ａ）製品と該製品を構成する部品のうち直下の階層に属する部品とが対応付けられるとともに，前記製品を構成する部品と該部品を構成する部品のうち直下の階層に属する部品とが対応付けられたテーブルを格納する格納部と，
（Ｂ）外部からの指示を入力する入力部と，
（Ｃ’）前記入力部に入力された指示に応じ，前記格納部に格納されたテーブルを検索して前記製品を構成する部品のツリー構造を作成する作成部と，
　を備え，
（Ｄ）前記作成部は，前記入力部によって特定された前記製品，或いは前記入力部によって特定された前記製品を構成する任意の部品を起点としたツリー構造を作成する
（Ｅ）情報管理装置。
　
［相違点］
　本願発明では，ツリー構造を，入力部に入力された指示に応じて「階層毎に」作成するのに対して，引用発明では，部品構成ツリーを「階層毎に」作成することは特定されていない点。
３．相違点の判断
　格納手段に階層構造の形式で格納された情報をツリー構造で表示する表示方法において，ユーザが入力装置を用いて，ツリー構造が表示されていない状態の必要な階層のノードを選択して展開すると，当該選択展開操作に基づいて当該ノードの下位にあるノードを１階層ずつ展開して表示する表示方法，すなわち，「階層毎に」展開して表示する表示方法は，例えば上記文献２及び文献３記載の周知技術のように当業者における周知技術である。
　そして，引用発明においても，ユーザが選択した製品や部品を頂点とするツリーを作成していることからすると，ツリー全体のうちのユーザが必要とする部分を表示するものであるから，引用発明に上記周知技術を適用して，選択された部品を頂点とする部品構成ツリーのうち，ユーザが必要な部分を「階層毎に」表示すること，また，そのために，「階層毎に」作成するように構成することは，当業者が容易に想到し得たことである。
　
　そして，本願発明の作用効果も，引用発明及び周知技術から当業者が予測できる範囲のものである。
４．まとめ
　以上のとおりであるから，本願発明は引用発明及び周知技術に基づいて，当業者が容易に発明をすることができたものである。
　
第７　むすび
　以上のように，本願の請求項１に係る発明は，引用文献１に記載された発明及び周知技術に基づいて当業者が容易に発明をすることができたものであるから，特許法第２９条第２項の規定により特許を受けることができない。
　したがって，他の請求項について検討するまでもなく，本願は拒絶をすべきものである。
　
　よって，結論のとおり審決する。